(57)【要約】  ユーザの手首の周りに装着される防護装置は、ユーザの手首の周りに位置するリストバンドと、第１の状態においてユーザの手首の周りに位置し、第２の状態でユーザの手の周りに位置するハンドバンドとを具備し得る。前記リストバンドは、攻撃者をひっかくための神経のツボツールを有し得る。また、前記ハンドバンドは、攻撃者をひっかくための神経のツボツールを有し得る。【選択図】図６
2015501916.tif 000002
【特許請求の範囲】
【請求項１】
ユーザの手首の周りに装着される防護装置であって、
ユーザの手首の周りに位置されるリストバンドと、
第１の状態でユーザの手首の周りに位置され、第２の状態でユーザの手の周りに位置されるハンドバンドと、
を具備する。
【請求項２】
請求項１の、前記ユーザの前記手首の周りに装着される防護装置において、前記リストバンドは、攻撃者をひっかくための神経のツボツールを有する。
【請求項３】
請求項１の、前記ユーザの前記手首の周りに装着される防護装置において、前記ハンドバンドは、攻撃者をひっかくための神経のツボツールを有する。
【請求項４】
請求項１の、前記ユーザの前記手首の周りに装着される防護装置において、前記リストバンドは、留め具により前記ハンドバンドと接続される。
【請求項５】
請求項１の、前記ユーザの前記手首の周りに装着される防護装置において、前記リストバンドは、神経のツボツールを備える内側のバンド部を有する。
【請求項６】
請求項１の、前記ユーザの前記手首の周りに装着される防護装置において、前記ハンドバンドは、神経のツボツールを備える掌バンド部を有する。
【請求項７】
請求項１の、前記ユーザの前記手首の周りに装着される防護装置において、前記ハンドバンドは、神経のツボツールを備える背面ハンドバンド部を有する。
【発明の詳細な説明】
【技術分野】
【０００１】
本発明は、２０１１年１１月１５日に出願されたアメリカ合衆国の仮出願ＮＯ．６１／５５９，７５３に基づく３５ＵＳＣ１１９の下での優先権を主張する２０１２年５月２４日に出願されたアメリカ合衆国における非仮出願ＮＯ．１３／４８０，３４２の優先権を主張する。
【０００２】
本発明は、防護装置に関するものであり、とりわけ特に、人が肉体的な攻撃に対して彼自身又は彼女自身を守るのに役立つ又は人を護衛するのに役立つ防護装置に関する。
【背景技術】
【０００３】
人を肉体的な暴力に巻き込む犯罪は、現代社会では最も悪い犯罪の１つである。これらの種の犯罪は、何の警告もなしに突然に起こることがあり、その結果、助けを呼んだり、又は攻撃者から逃げたりすることの能力を制限する。結果として、容易に利用可能な防護装置の所持が必要になる。いくつかの管轄区において、銃を携帯することは法律に反することがある。また、ナイフのような他の種の防護装置は容易に利用することが難しい。容易に利用可能な防護装置に対する需要がある。
【発明の概要】
【０００４】
ユーザの手首の周りに装着される防護装置は、ユーザの手首の周りに位置するリストバンドと、第１の状態でユーザの手首の周りに位置し、第２の状態でユーザの手の周りに位置するハンドバンドを具備する。リストバンドは、攻撃者をひっかくための神経のツボツールを有する。また、ハンドバンドは、攻撃者をひっかくための神経のツボツールを有する。また、リストバンドは、留め具でハンドバンドに接続される。また、リストバンドは、神経のツボツールを備える内側のバンド部を有する。また、ハンドバンドは、神経のツボツールを備える掌バンド部を有する。また、ハンドバンドは、神経のツボツールを備える背面ハンドバンド部を備える。
【図面の簡単な説明】
【０００５】
【図１】図１は、本発明の防護装置の前方からの斜視図を示す。
【図２】図２は、本発明の防護装置の後方からの斜視図を示す。
【図３】図３は、リストバンドとハンドバンドとを有する本発明の防護装置の斜視図を示す。
【図４】図４は、リストバンドとハンドバンドとを有する本発明の防護装置の斜視図を示す。
【図５】図５は、リストバンドとハンドバンドとを有する本発明の防護装置の斜視図を示す。
【図６】図６は、リストバンドとハンドバンドとを有する本発明の防護装置の側方からの斜視図を示す。
【発明を実施するための形態】
【０００６】
本発明は、添付する図面に関連して取り扱われている以下の記述を参照することにより理解され得る。図面において、同じ参照符号は同じ部材とみなす。
【０００７】
防護装置１００は、武装しない状態であり得る第１の状態において、リストバンド１６と、リストバンド１６の上に位置するハンドバンド１８とを含み得る２重のバンドのリストバンドを含み得る。リストバンド１６とハンドバンド１８とは、ユーザの手の上及び手首の上方に位置し得るように、可撓性かつ拡げやすい材料で形成されている。さらに、ハンドバンド１８は、拡げられ得て、かつユーザの手の手のひらの上方へ引き伸ばすために拡げられて親指を越えるように伸びる。防護装置１００は、武装しない状態であり得る第２の状態に広げられ得る。防護装置１００は、親指を越えるように引っ張られ、ハンドバンド１８をリストバンド１６がユーザの手首の周りに残っている状態で親指と人差し指との間に自然に位置させることにより武装され得る。今、手の手のひらに置かれているハンドバンド１８は、傷をつける又は相手即ち敵の神経のツボを活性化する若しくは刺激するために使われる神経のツボツール８を含み得て、金属、硬質プラスチック又は突出した尖端又は一端を含み得る適切な材料から形成されており、自ら又は人を護衛するために使われ得る。
【０００８】
本発明により解決された問題の記述：防護装置１００は、防護装置１００を用いることで、攻撃者の体の露出部分を押す、こする、又は殴ることによる、攻撃者に対してユーザ自身を守るために彼らの手を使うときに、ユーザに重大な機械的な強みを提供する。その結果、ユーザは、彼ら自身又は彼女ら自身をよりよく守ることができる。
【０００９】
本発明は既存の技術に対してどのように改良されたか  ：  自身を守るための多くの製品が持つ重大な不便さは、もっとも必要なときに即座に利用できることの欠如である。財布の中、ポケットの中、キーチェーンに付ける代わりに、防護装置１００を常時利用可能にするように、防護装置１００は、一方若しくは両方の手首に途切れなく安全に取着され得る。防護装置１００の有用性は、先に記載した装置に対して優れている重要な効果を与える。防護装置１００は、開いた手又は閉じた手で使用され得、そして、防護装置１００は、多大な努力なしにユーザに奪われ得ない。この装置は、本質的に致死性がなく、使用が簡単で、すべての人に適している。
【００１０】
本発明を使用するだろう人々の集団かつ／又は仕事  ：  男性、女性、十代、子供、法律の施行、犯罪者の処分、軍事的又は民営の会社。
【００１１】
発明のユーザへの利益  ：  防護装置１００は、肉体的な攻撃に対しての防御において、使用者を助ける。防護装置１００は、開いた手若しくは閉じた手で使用され得、落とし得ず、格別の努力なしにはユーザから奪うことができ得ない。防護装置１００は、手首の周りに装着されて、必要なときに、容易に利用可能となる。
【００１２】
図１は、ユーザの手首と手の前方からの斜視図を示し、リストバンド１６の上に位置し得るハンドバンド１８を示し、また、ハンドバンド１８の神経のツボツール８を示す。ハンドバンド１８とリストバンド１６とは、武装しない状態であり得る第１の状態で示されている。これは、使用のために防護装置１００を装着したままの状態で、彼／彼女の手の使用をユーザに可能とすることを許す。
【００１３】
図２は、神経のツボツール８を有し得るハンドバンド１８の下に配置されているリストバンド１６の後方からの斜視図を示す。
【００１４】
図２は、ユーザの手の上にハンドバンド１８を拡げるように、ユーザを助けるためにハンドバンド１８の一端に配置され得る上方に延びたタブ２５を示す。
【００１５】
図３は、ユーザの開いた手を示し、リストバンド１６の内側のバンド部１７と、神経のツボツール８を有し得るハンドバンド１８の掌バンド部１９とを示し得る防護装置１００の斜視図を示す。前記掌バンド部１９は、ボタン、ボルト、縫合部、又は他の種のアタッチメントで良い留め具１４により、内側のバンド部１７に接続され得て、ユーザの掌を横切ると共に、ユーザの親指と人差し指との間に引き伸ばし得る。また、掌バンド部１９は、ユーザの掌の背面を横切って引き伸ばし得、留め具１４によりリストバンド１６に接続され得る背面ハンドバンド部２０に接続され得る。
【００１６】
前記リストバンド１６は、ユーザの手首の内側を横切って引き伸ばされ得る内側のバンド部１７を有し得て、また、ユーザの手首の外側を横切って引き伸ばされ得て、内側のバンド部１７に接続され得る外側のバンド部２１を有し得る。内側のバンド部１７は、神経のツボツール８を含み得る。
【００１７】
図４は、ユーザの閉じた手を示し、神経のツボツール８を有し得るハンドバンド１８の掌バンド部１９を示し得て、また、リストバンド１６の内側のバンド部１７を示し得る防護装置１００の斜視図を示す。掌バンド部１９は、ボタン、ボルト、縫合部又は他の種のアタッチメントで良い留め具１４により、内側のバンド部１７に接続され得、また、ユーザの掌を横切ると共に親指と人差し指との間に引き伸ばし得る。掌バンド部１９は、ユーザの手の背面を横切って引き伸ばされ得る背面ハンドバンド部２０に接続され得て、留め具１４によってリストバンド１６に接続され得る。
【００１８】
リストバンド１６は、ユーザの手首の内部を横切って拡がり得る内側のバンド部１７を含み得て、かつ、ユーザの手首の外部を横切って拡がり得て、また、内側のバンド部１７に接続され得る外側のバンド部２１を含み得る。
【００１９】
図５は、閉じた手の後方からの斜視図を示し、また、防護装置１００の斜視図を示す。防護装置１００は、神経のツボツール８を含み得るハンドバンド１８の掌バンド部１９を示す、また、リストバンド１６の内側のバンド部１７を含み得る。掌バンド部１９は、ボタン、ボルト、縫合部、又は他の種のアタッチメントで良い留め具１４により内側のバンド部１７に接続され、また、ユーザの掌を横切ると共に、親指と人差し指との間に伸び得る。この掌バンド部１９は、ユーザの手の背面を横切って拡げられ得、留め具１４によりリストバンド１６に接続され得る掌バンド部２０に接続されている。
【００２０】
図５は、ユーザの手の方へ伸びることにおいてハンドバンド１８を援助するように、ハンドバンド１８の端に配置され得る上方に伸びたタブ２５を示す。
【００２１】
リストバンド１６は、ユーザの手首の内部を横切って伸び得る内側のバンド部１７を含み得て、かつ、ユーザの手首の外部を横切って伸び得て、及び内側のバンド部１７に接続されている外側のバンド部２１を含み得る。内側のバンド部１７は、神経のツボツール８を有していても良い。
【００２２】
防護装置１００は、バンドが武装されたとき、第２の状態に置かれる。
【００２３】
図６は、開いた手の側方からの斜視図を示し、かつ、図６は、神経のツボツール８を含み得るハンドバンド１８の掌バンド部１９を含み得、及び、リストバンド１６の内側のバンド部１７を示し得る防護装置１００の斜視図を示す。掌バンド部１９は、ボタン、ボルト、縫合部又は他の種類のアタッチメントで良い留め具１４により内側のバンド部１７に接続され得て、ユーザの掌を横切ると共に、ユーザの親指と人差し指との間に伸び得る。掌バンド部１９は、ユーザの手の背面を横切ると共に伸びている背面ハンドバンド部２０に接続され得て、また、留め具１４によってリストバンド１６に接続され得る。
【００２４】
リストバンド１６は、ユーザの手首の内部を横切ると共に伸び得る内側のバンド部１７を含み得て、かつ、ユーザの外側の手首を横切ると共に伸び得て、また、内側のバンド部１７に接続され得る外側のバンド部２１を含み得る。内側バンド部１７は、神経のツボツール８を有していても良い。
【００２５】
本発明のバンドは武装される。
【００２６】
防護装置１００は、２つのみ又は複数の耐久性を持つ弾性のバンド１６、１８を含み得る。これらは、一方のバンドが他方のバンドの上に横たわるか、又は一方のバンドが他方のバンドに隣接している。２つのバンド１６、１８は、１箇所でプラスチック又は金属の留め具１４により互いに取着されている。外側のバンドは、手の背面に向かっている側と手の掌に向かっている側とにプラスチック部を含み得る神経のツボツール８を有し得る。
【００２７】
本発明の各部の間の関係：上側（外側）のバンドは、下側（内側）のバンドより直径がわずかに大きく、この大きいバンドは、小さいバンドの上に横たわっている。外側のバンドは、手の背面に向かっている側に又は手の掌に向かっている側に、プラスチック部を有している。
【００２８】
どのようにして本発明を操作／機能させるかの説明：上側（外側）のバンドは下側（内側）のバンドより直径がわずかに大きく、この大きいバンドは小さいバンドの上に横たわっている。２つのバンド１６、１８は１箇所でプラスチック又は金属の留め具により取着され得る。外側のバンドは、手の背面と向かっている側と、掌に向かっている側とに神経のツボツール８を含み得る。２つのバンド１６、１８が、一方が他方に重ね合わさると同時に手首の周りに装着されているときに、前記バンドは、「武装されていない位置」という状態であると考慮され得る。望まれるときには、前記バンド１６、１８は、上側のバンドを親指の方へ単に引っ張られて、親指と人差し指との間に上側のバンドを置かれることによって、「武装された位置」に位置付けられる。「武装された位置」において、複数のプラスチック部は、手の掌の領域内と、手の背面の部分を横切ると共に置かれている。この状態でこれらのプラスチック部は、攻撃者の体の露出部分に対して殴る、押す、又はこするように位置付けされている。プラスチック部は、圧点に直接与えられるか、痛みのコンプライアンスを通じて（through pain compliance）直接的に接触して、及び／又はよく知られた押圧する方法によって、個人の護衛の援助をするために使用され得る。
【００２９】
発明の特徴：  本発明の防護装置１００は、「武装されていない状態」において、手首の周りに装着されているので、いかなるときでも容易に利用可能であり得る。必要であるとき、防護装置１００は、上側のバンドを親指の方へ引っ張られて、親指と人差し指との間にバンドを置かれることを可能にすることによって、簡単にかつ即座に「武装された状態」に移行することができ得る。これは、開いた手又は閉じた手で使用されることを可能にし、防護装置１００は、落下することが難しくなり得て、そして、防護装置１００は、多大な努力なしにはうばわれることが難しくなり得る。加えて、複数のプラスチック部は、手の掌の近くにあり、体の露出部分を押す、こする、又は殴るときに攻撃者に多大な力及び圧力が与えられ得る。複数のプラスチック部は、本質的に致死性がなく、使用が簡単で、ほぼどんなときでも適用できる。神経のツボツール８は、彼／彼女の圧点に与えられるとき、攻撃者から即座の／応答反射（immediate/response reaction）を引き起こし得るプラスチック部を含み得る。個人の護衛は、攻撃者の手首又は前腕の周りを、バンドを装着している手の掌で単に強く握ることによって成し遂げられ得る。
【００３０】
２つの丈夫な弾性のバンド１６、１８は、シリコン又は他の適した材料から作られ得る。上側の（外側の）バンドは、下側の（内側の）バンドよりわずかに大きい。２つのバンド１６、１８は、１箇所で（装着された手首の骨のすぐそばに）留め具１４で一緒に取着され得る。留め具１４は、留め金、鋲、又は適した装置であっても良い。また、上側のバンドの前方及び後方には、バンドに固く留められたやすりのような／尖った端を有する固いプラスチック部がある。
【００３１】
代わりの実施の形態
代わりの実施の形態：  本発明の防護装置１００は、美的な目的のためにいろいろな材料で作られても良い。また、これらプラスチック部は、効果を高くするために金属を材料で作られても良い。警察署、企業又は他の団体と識別するために又は関連付けるために、カスタマイズされたロゴタイプ又は名称が、バンドの外側に付されても良い。
【００３２】
防護装置１００は、一瞬で高い効果を得られる防護装置に変形し得る分離したリストバンドとして装着され得る。もし、ユーザが脅されたとき、外側のバンドが、たくさんの刺すものとしての働きをし得る神経のツボツール８に埋め込まれている手の掌を横切って位置されるような武装された位置に変形させるように、ユーザはバンド１８を親指の方へ引き伸ばし得る。神経のツボツール８は、攻撃者の露出した皮ふに接触すると、中間のそして（intermediate and ）無意識の反応を生じさせる。これは、複数回刺される感覚となる。
【００３３】
本発明は、反射弓と呼ばれ得る攻撃者の中央神経系の無意識な行動を利用している。反射弓は、脅されている状況における負傷を避けるために、脳からの最初の許可を得ることなしに危険又痛みを伴う刺激から即座にそして速く引き下がるための手段を提供する。反射弓の例としては、熱い表面に触ること、尖ったものを踏みつけること、又は虫によって刺されることを含む。
【００３４】
本発明は、攻撃者に無意識に引き抜かせることによる攻撃者の固有の安全な機構に利用可能である。
【００３５】
本発明は目立たない腕輪として手首の周りに装着され得る。また、本発明は、少なくとも１秒以内に武装されている状態に位置し得る。
【００３６】
バンド１６、１８の神経のツボツール８のするどい尖端は、攻撃者に傷跡をつけ得て、彼／彼女を警察官に容易に確認させることができる。攻撃者のＤＮＡ／皮ふは、神経のツボツール８の尖端に残り、告訴／刑事訴追をすることを補助する。
【００３７】
その上、本発明は、様々な修正及び置き換え可能な形態を許容し、特定の実施の形態は図面中に手段として示されている明細書に記述されている。しかしながら、特定の実施の形態のここでの説明は、本発明を開示された特定の形態に限定する意図はない。
【図１】
2015501916.tif 000003
【図２】
2015501916.tif 000004
【図３】
2015501916.tif 000005
【図４】
2015501916.tif 000006
【図５】
2015501916.tif 000007
【図６】
2015501916.tif 000008
【国際調査報告】
2015501916.tif 000009